(57)【特許請求の範囲】
【請求項１】
画像表示面にタッチパネルを貼着し、前記画像表示面に画像表示面座標系の座標を特定するための連続的に変化する座標特定用パターン画像を表示する画像表示装置と、
この画像表示装置を保持する保持治具と、
前記画像表示面に表示された連続的に変化する前記座標特定用パターン画像に対する加圧位置からの光学的情報を制御コンピュータへ伝達し、前記画像表示面を加圧する複数のマイクロレンズ付加圧治具を有する加圧手段とを備え、
前記制御コンピュータは、前記画像表示装置の前記画像表示面に前記画像表示面座標系の座標を特定する連続的に変化する前記座標特定用パターン画像を表示させ、前記座標特定用パターン画像に対する複数の加圧治具の加圧位置における前記光学的情報から、前記加圧位置の画像表示面座標系の座標を演算取得し、
前記加圧治具を前記画像表示面との位置決め無しに順次に作動させて前記加圧位置を加圧させ、この加圧に対して検出されたタッチパネル座標系の座標のデータと、前記演算取得した前記画像表示面座標系の座標のデータとから、前記画像表示装置の前記画像表示面座標系の座標データベースの座標のデータを変更補正するようにしたタッチパネル自動補正装置。
【請求項２】
前記加圧治具は、前記加圧治具直下の光を集光するマイクロレンズと、集光された光を受光し光電変換する受光素子と、前記マイクロレンズを上下方向に移動させるためのマイクロソレノイドとから構成されたことを特徴とする請求項１記載のタッチパネル自動補正装置。
【請求項３】
画像表示面にタッチパネルを貼着し、前記画像表示面に画像表示面座標系の座標を特定するための連続的に変化する座標特定用パターン画像を表示する画像表示装置と、
この画像表示装置を保持する保持治具と、
前記画像表示面に表示された連続的に変化する前記座標特定用パターン画像に対する加圧位置からの光学的情報を制御コンピュータへ伝達し、前記画像表示面を加圧する複数のマイクロレンズ付加圧治具を有する加圧手段とを備え、
前記制御コンピュータにより、前記画像表示装置の前記画像表示面に前記画像表示面座標系の座標を特定する連続的に変化する前記座標特定用パターン画像を表示させる工程と、
前記制御コンピュータにより、前記座標特定用パターン画像に対する複数の加圧治具の加圧位置における前記光学的情報から、前記加圧位置の画像表示面座標系の座標を演算取得する工程と、
前記加圧治具を前記画像表示面との位置決め無しに順次に作動させて前記加圧位置を加圧させ、前記加圧位置に対するタッチパネル座標系の座標のデータを検出する工程と、
前記検出した前記タッチパネル座標系の座標のデータと前記演算取得した前記画像表示面座標系の座標のデータとから、前記画像表示装置の前記画像表示面座標系の座標データベースの座標のデータを変更補正する工程とを施すタッチパネル自動補正方法。
【請求項４】
前記加圧治具が有するマイクロレンズと受光素子により、前記加圧治具直下の光を前記マイクロレンズで集光し、集光された光を前記受光素子で光電変換し、光電変換した前記光学的情報から、前記制御コンピュータにより前記加圧位置の画像表示面座標系の座標を演算取得する請求項３記載のタッチパネル自動補正方法。
【発明の詳細な説明】
【技術分野】
【０００１】
本発明は車載用カーナビゲーション機器など、タッチパネル搭載機器に装着されるタッチパネル付画像表示装置におけるタッチパネル上の入力位置と表示位置とのずれを軽減する補正を、人による作業に代わって自動補正するタッチパネル自動補正装置およびタッチパネル自動補正方法に関するものである。
【背景技術】
【０００２】
車載用カーナビゲーション機器などのタッチパネル搭載機器に装着されるタッチパネル付画像表示装置においては、このタッチパネル上のタッチ入力位置と画像表示面上の表示位置とが一致することが機能上の基本要件であるが、このタッチパネルを構成する抵抗膜の特性バラツキやタッチパネルと画像表示面のずれ等により入力位置と表示位置とが必ずしも一致しないでずれを生じる場合がある。このため、タッチパネル搭載機器には通常、補正機能を備え、タッチパネル上の入力位置と画像表示面上の表示位置とを一致させるように補正していた。
【０００３】
以前においては、この補正作業を人が行なっており、相応の作業工数（時間）を要していたのみならず、補正作業の個人差間バラツキにより補正精度のバラツキが生じていた。このような問題に対処するため、前記補正の自動化が提案されており、例えば、従来のタッチパネル自動補正装置としては特許文献１に示すものがある。
【０００４】
特許文献１のタッチパネル自動補正装置は、自動補正装置を構成する保持治具にタッチパネル付画像表示装置を装着し、タッチパネルについて、キャリブレーション（補正）や検査を自動的に行うようにしたものであり、タッチパネルに表示される調整画像はカメラで撮像され、プッシュピンに合わせた位置に被補正機器であるタッチパネル付画像表示装置を移動させて加圧位置との位置合わせ行う。表示位置とタッチ入力位置の補正は、加圧に対し、検出された検出座標データと予め設定されたデータの差異が規定値以上であれば、変更補正を行う。補正終了後、指定位置に表示される検査表示画像表示面をカメラで検出し、ずれの程度を判定するようにしている。これにより、人がキャリブレーション機能を作動させなくても、表示位置と入力位置のずれを解消させる調整やその検査の自動化が可能となる。前記の他、タッチパネルの位置ずれ補正に関連する従来技術としては、例えば、下記の特許文献２〜４がある。
【先行技術文献】
【特許文献】
【０００５】
【特許文献１】特開２００６−４０８９号公報
【特許文献２】特開平７−３１１６５５号公報
【特許文献３】特開平６−１７５７６８号公報
【特許文献４】特開平１１−３５３１００号公報
【発明の概要】
【発明が解決しようとする課題】
【０００６】
しかしながら、前記従来のタッチパネル自動補正装置は、画像表示面座標系の加圧座標を加圧治具側を主体として取得する構成ではなく、画像表示装置側が指定した入力位置を加圧する必要があるため、被補正機器が入れ替わる毎、補正画像とプッシュピンの位置が合うよう駆動機構で移動させ、補正を行っていた。このため、位置合わせ用駆動機構を必要として補正装置本体が大型化する、コストがかかるといった問題がある。また、位置決めに時間を要するといった問題があった。
【０００７】
本発明は、前述のような問題点を解消するためになされたもので、タッチパネル上のタッチ入力位置と画像表示面上の表示位置とを一致させるための自動補正装置を小型、低コスト化することが可能であり、補正工程の時間を一層短縮することのできるタッチパネル自動補正装置およびタッチパネル自動補正方法を得ることを目的とする。
【課題を解決するための手段】
【０００８】
本発明に係わるタッチパネル自動補正装置は、画像表示面にタッチパネルを貼着し、前記画像表示面に画像表示面座標系の座標を特定するための連続的に変化する座標特定用パターン画像を表示する画像表示装置と、この画像表示装置を保持する保持治具と、前記画像表示面に表示された連続的に変化する前記座標特定用パターン画像に対する加圧位置からの光学的情報を制御コンピュータへ伝達し、前記画像表示面を加圧する複数のマイクロレンズ付加圧治具を有する加圧手段とを備え、前記制御コンピュータは、前記画像表示装置の前記画像表示面に前記画像表示面座標系の座標を特定する連続的に変化する前記座標特定用パターン画像を表示させ、前記座標特定用パターン画像に対する複数の加圧治具の加圧位置における前記光学的情報から、前記加圧位置の画像表示面座標系の座標を演算取得し、前記加圧治具を前記画像表示面との位置決め無しに順次に作動させて前記加圧位置を加圧させ、この加圧に対して検出されたタッチパネル座標系の座標のデータと、前記演算取得した前記画像表示面座標系の座標のデータとから、前記画像表示装置の前記画像表示面座標系の座標データベースの座標のデータを変更補正するようにしたものである。
【０００９】
また、本発明に係わるタッチパネル自動補正方法は、画像表示面にタッチパネルを貼着し、前記画像表示面に画像表示面座標系の座標を特定するための連続的に変化する座標特定用パターン画像を表示する画像表示装置と、この画像表示装置を保持する保持治具と、前記画像表示面に表示された連続的に変化する前記座標特定用パターン画像に対する加圧位置からの光学的情報を制御コンピュータへ伝達し、前記画像表示面を加圧する複数のマイクロレンズ付加圧治具を有する加圧手段とを備え、前記制御コンピュータにより、前記画像表示装置の前記画像表示面に前記画像表示面座標系の座標を特定する連続的に変化する前記座標特定用パターン画像を表示させる工程と、前記制御コンピュータにより、前記座標特定用パターン画像に対する複数の加圧治具の加圧位置における前記光学的情報から、前記加圧位置の画像表示面座標系の座標を演算取得する工程と、前記加圧治具を前記画像表示面との位置決め無しに順次に作動させて前記加圧位置を加圧させ、前記加圧位置に対するタッチパネル座標系の座標のデータを検出する工程と、前記検出した前記タッチパネル座標系の座標のデータと前記演算取得した前記画像表示面座標系の座標のデータとから、前記画像表示装置の前記画像表示面座標系の座標データベースの座標のデータを変更補正する工程とを施すものである。
【発明の効果】
【００１０】
本発明のタッチパネル自動補正装置によれば、画像表示面にタッチパネルを貼着し、前記画像表示面に画像表示面座標系の座標を特定するための連続的に変化する座標特定用パターン画像を表示する画像表示装置と、この画像表示装置を保持する保持治具と、前記画像表示面に表示された連続的に変化する前記座標特定用パターン画像に対する加圧位置からの光学的情報を制御コンピュータへ伝達し、前記画像表示面を加圧する複数のマイクロレンズ付加圧治具を有する加圧手段とを備え、前記制御コンピュータは、前記画像表示装置の前記画像表示面に前記画像表示面座標系の座標を特定する連続的に変化する前記座標特定用パターン画像を表示させ、前記座標特定用パターン画像に対する複数の加圧治具の加圧位置における前記光学的情報から、前記加圧位置の画像表示面座標系の座標を演算取得し、前記加圧治具を前記画像表示面との位置決め無しに順次に作動させて前記加圧位置を加圧させ、この加圧に対して検出されたタッチパネル座標系の座標のデータと、前記演算取得した前記画像表示面座標系の座標のデータとから、前記画像表示装置の前記画像表示面座標系の座標データベースの座標のデータを変更補正するようにしたので、従来必要であった、加圧治具と加圧対象である画像表示面座標系の座標とを位置合わせする複雑な位置決め駆動機構が不要となることにより、タッチパネル自動補正装置の小型化，低コスト化が可能となる。また、位置決め動作が不要であることより、自動補正に要する時間を従来に比し一層短縮でき、補正の効率性を向上させることができる。
【００１１】
また、本発明のタッチパネル自動補正方法によれば画像表示面にタッチパネルを貼着し、前記画像表示面に画像表示面座標系の座標を特定するための連続的に変化する座標特定用パターン画像を表示する画像表示装置と、この画像表示装置を保持する保持治具と、前記画像表示面に表示された連続的に変化する前記座標特定用パターン画像に対する加圧位置からの光学的情報を制御コンピュータへ伝達し、前記画像表示面を加圧する複数のマイクロレンズ付加圧治具を有する加圧手段とを備え、前記制御コンピュータにより、前記画像表示装置の前記画像表示面に前記画像表示面座標系の座標を特定する連続的に変化する前記座標特定用パターン画像を表示させる工程と、前記制御コンピュータにより、前記座標特定用パターン画像に対する複数の加圧治具の加圧位置における前記光学的情報から、前記加圧位置の画像表示面座標系の座標を演算取得する工程と、前記加圧治具を前記画像表示面との位置決め無しに順次に作動させて前記加圧位置を加圧させ、前記加圧位置に対するタッチパネル座標系の座標のデータを検出する工程と、前記検出した前記タッチパネル座標系の座標のデータと前記演算取得した前記画像表示面座標系の座標のデータとから、前記画像表示装置の前記画像表示面座標系の座標データベースの座標のデータを変更補正する工程とを施すので、従来必要であった、加圧治具と加圧対象である画像表示面座標系の座標とを位置合わせする複雑な位置決め駆動機構が不要となることにより、タッチパネル自動補正装置の小型化，低コスト化が可能となる。また、位置決め動作が不要であることより、自動補正に要する時間を従来に比し一層短縮でき、補正工程の効率性を向上させることができる。
【図面の簡単な説明】
【００１２】
【図１】本発明の実施の形態１におけるタッチパネル自動補正装置を示す構成図である。
【図２】実施の形態１のタッチパネル自動補正装置に使用する加圧治具の正面図である。
【図３】実施の形態１のタッチパネル自動補正装置における抵抗膜式タッチパネルの電気的構成と制御を説明する図である。
【図４】実施の形態１のタッチパネル自動補正装置における処理手順を示すフローチャートである。
【図５】実施の形態１のタッチパネル自動補正装置における補正用の加圧治具を画像表示面直上にセットした状態を説明する図である。
【図６】実施の形態１のタッチパネル自動補正装置における画像表示面のＸ軸座標特定用パターン画像信号による表示画像の時間推移を示す図である。
【００１３】
【図７】実施の形態１のタッチパネル自動補正装置におけるＸ軸座標特定用パターン画像により加圧治具から出力された輝度レベルの時間変化を示す図である。
【図８】実施の形態１のタッチパネル自動補正装置における画像表示面のＹ軸座標特定用パターン画像信号による表示画像の時間推移を示す図である。
【図９】実施の形態１のタッチパネル自動補正装置におけるＹ軸座標特定用パターン画像により加圧治具から出力された輝度レベルの時間変化を示す図である。
【図１０】実施の形態１のタッチパネル自動補正装置におけるＸ軸，Ｙ軸座標特定用パターン画像信号による表示画像の時間推移を示す図である。
【図１１】実施の形態１のタッチパネル自動補正装置における２点補正時を説明する図である。
【発明を実施するための形態】
【００１４】
実施の形態１．
本発明の実施の形態１を図に基づいて説明する。タッチパネル自動補正装置の具体的構
造を説明する前に、このタッチパネル自動補正装置で補正しようとするタッチパネル搭載機器に装着されるタッチパネルについて説明する。従来から、例えば車載用のナビゲーション機器においては、その高機能化，多機能化に伴って操作も複雑になってきており、液晶画像表示面などに画像表示された入力キー上のタッチパネル部分を直接加圧することで、あたかも画像表示された入力キーを操作したような感覚を得ることができるタッチパネル付画像表示装置が広く用いられている。
【００１５】
図３は、抵抗膜式タッチパネルの電気的構成と制御を説明する図である。各々の抵抗膜２２ａ,２２ｂに形成される電極は互いに直交していれば良いので、例えば上部基板側の
抵抗膜２２ａにはＸ軸方向の両端に電極２１ａ,２１ｂが形成され、下部基板側の抵抗膜
２２ｂにはＹ軸方向の両端に電極２１ｃ,２１ｄが形成されているとする。また、直流電
圧Ｖｃｃの印加を電極２１ａ又は、電極２１ｃに切替えるスイッチＳＷ１、電圧計２３による電圧検出を切替えるスイッチＳＷ２および接地する側を切替えるスイッチＳＷ３等を抵抗膜式タッチパネル自体とは別に設けている。
【００１６】
タッチパネルの任意の場所に加圧Ｆが加わったとき、この加圧Ｆが加わった入力点Ｐの位置はＸ軸、Ｙ軸別々に検出される。図３は入力点Ｐ(Ｐｘ,Ｐｙ)のＸ軸方向の位置Ｐｘ
を検出する場合は、図示のように、ＳＷ１をａ側にし、ＳＷ３をｆ側にしてＸ軸方向に形成されている電極２１ａ,２１ｂに電圧Ｖｃｃを印加する。これにより、抵抗膜２２ａの
電位は入力点Ｐの位置とＸ軸電極２１ａ,２１ｂとの距離に応じた値になるので、この電
圧を下部基板側の抵抗膜２２ｂに形成されたＹ軸電極２１ｄを用い、ＳＷ２のｃ側にセットされている電圧計２３により検出することでＸ軸方向の入力位置Ｐｘが検出できる。
【００１７】
これに対し、Ｙ軸方向の入力位置Ｐｙを検出する場合は、ＳＷ１をｂ側に、ＳＷ２をｄ側に、およびＳＷ３をｅ側にそれぞれ切り替え、前記同様に、Ｙ軸方向に形成されている下部基盤側の抵抗膜の電極２１ｃ,２１ｄに電圧Ｖｃｃを印加し、Ｙ軸方向の入力位置Ｐ
ｙの電圧を上部基板のＸ軸電極２１ｂを用い、ＳＷ２のｄ側に切替えられている電圧計２３により検出することで、Ｙ軸方向の入力位置Ｐｙが検出できる。
【００１８】
このタッチパネルが貼着されたタッチパネル付画像表示装置では、タッチパネル上の入力点座標（タッチパネル座標系の座標）Ｐと画像表示面上座標（画像表示面座標系の座標）Ｑを一致させる補正が必要となる。その理由としては、タッチパネルを画像表示面に貼り付ける際の回転や位置ずれ、タッチパネル内の端子抵抗で発生する電圧損失、透明導電膜の抵抗ばらつき等が挙げられ、補正されていない場合、入力点座標Ｐと画像表示面上座標Ｑとの間にずれが生じ、ユーザーの意図と異なる動作がなされる可能性がある。
【００１９】
このため、タッチパネルが貼着されたタッチパネル付画像表示装置では、前記説明のタッチパネルから検出される入力点座標Ｐと画像表示面上座標Ｑを一致させるために、補正のために加圧した際に検出される座標Ｐと座標Ｑから、パネル全面に亘る多数点の座標のデータＱを計算により変更補正し、タッチパネル搭載機器の座標データベースに格納する必要がある。また、この座標のデータは前記のように電圧値又は、Ａ／Ｄコンバータによりレベル変換されたデータである。タッチパネルの補正機能とは、実際のタッチパネルの特性、貼着状態に即した座標生成を行うための機能と言える。
【００２０】
次に、タッチパネル自動補正装置の構成を説明する。図１は本発明のタッチパネル自動補正装置の基本的な構成を示す模式的なブロック図である。図２はタッチパネル自動補正装置の主要部である加圧治具の詳細図である。筐体１の内部には例えば図１のように、筐体下部側に保持治具４、これと対向するように筐体上部側の加圧治具設置部６に加圧治具５を配置している。タッチパネル付画像表示装置３はこの自動補正装置の補正対象となる被補正機器であり、タッチパネル２から検出される信号に対する画像表示面上座標Ｑのデ
ータが格納された座標データベースを内蔵している。この座標データベースの座標のデータＱは計算上のデータであり、実際のタッチ入力における座標（タッチパネル上の入力点座標）と差異が生じ得る性質のデータである。以下に述べる「補正」等は前記計算上の座標のデータＱを実際のタッチパネル上の入力点座標Ｐに合致したデータへ修正する（書き換える）ことを意味する。当該タッチパネル付画像表示装置３は、制御コンピュータ７と接続され、制御コンピュータ７からの信号が画像表示装置３に入力され、画像表示装置３が駆動状態となる。
【００２１】
保持治具４は被補正機器であるタッチパネル付画像表示装置３を保持するものであり、同装置のその表示面が加圧治具５と対向するように水平に保持される。加圧治具５は制御コンピュータ７に接続されており、図２のように、加圧治具５は先端にマイクロレンズ１５が装着され、画像表示面の光学的情報を受光素子１４へ伝達し、光電変換した信号を制御コンピュータ７の光学信号処理部９および演算部８で処理する。また、加圧治具５にはマイクロソレノイド１３を有し、制御コンピュータ７の加圧制御部１０からの制御信号により、伸縮することで画像表示面に加圧することが可能である。加圧治具５はこのように構成することにより、直下の光学的情報を取得できるようになり、かつ画像表示面に加圧することが可能となる。加圧治具５はタッチパネル付画像表示装置３上の補正時に加圧したい位置、および補正状態確認時に加圧したい位置に複数の加圧治具５を予め加圧治具設置部６に配列し、設置しておく。
【００２２】
そして、補正の際にタッチパネル付画像表示装置３の表示面に表示される画像表示面上座標（画像表示面座標系の座標）Ｑを特定するための座標特定用パターン画像による、加圧治具５に備えられたマイクロレンズ１３からの光学的情報を分析することで、これから加圧する画像表示面上の各々の座標Ｑを算出し、複数の加圧治具５により順次加圧する。この加圧に際し検出された座標がタッチパネル上の入力点座標（タッチパネル座標系の座標）Ｐとなる。また、補正状態確認の際にも同様に表示面に表示される補正状態確認用画像からの光学的情報を分析することで、補正状態を確認する。
【００２３】
従来では、画像表示面の加圧位置を指定して補正を実施する必要があったが、実施の形態１のような構成とすることにより、補正装置側で加圧治具側を主体として画像表示面上の加圧位置座標を特定可能となることで、加圧位置を指定することなく、補正が可能となる。この加圧治具５において、前記補正に対応させたものを以下、「補正用加圧治具」と称し、補正状態確認用画像に対応させたものを以下、「補正状態確認用加圧治具」と称することとする。ここで、補正用加圧治具と補正状態確認用加圧治具とは共通であっても又は非共通であってもよいが、両者を共通にした場合には加圧治具の数を減らすことができる。
【００２４】
なお、実施の形態１では加圧治具５内にマイクロレンズ１５、受光素子１４を備えているが、場合によっては加圧治具５内にマイクロレンズ１３のみを備え、制御コンピュータ７内に受光素子１４を備え、光ファイバを用いて光学的情報を伝達する構成としてもよい。また、マイクロレンズと受光素子が一体になっていてもよい。さらに、マイクロレンズ１５保護のため、集光を妨げない程度の厚みの保護シートを貼り付ける構成としてもよい。また、この受光素子１４はＲＧＢの受光感度が均一であることが好ましい。
【００２５】
加圧治具設置部６には、加圧治具５が設置される。この加圧治具５は加圧治具設置部６に任意に設置可能であり、これにより加圧位置の変更に対し容易に変更可能となる。制御コンピュータ７は補正の際に画像表示面上座標Ｑを特定するため、タッチパネル付画像表示装置３の表示面に表示される座標特定用パターン画像信号および、補正状態確認用パターン画像信号を駆動信号制御部１２で発生させるとともに、加圧治具５の加圧位置による光学的情報から画像表示面上座標Ｑを演算部８により演算取得し、加圧制御部１０からの信号により当該加圧治具５にタッチパネル付画像表示装置３を順次加圧させ、加圧毎に座標信号処理部１１から検出されるタッチパネル上座標（タッチパネル座標系の座標）Ｐを検出し、得られた座標Ｐと座標Ｑから、パネル全面に亘る多数点の座標のデータＱを演算部で演算、変更補正し、座標信号処理部１１を介しタッチパネル搭載機器の座標データベースに格納する。
【００２６】
図４は実施の形態１のタッチパネル自動補正装置における処理手順を示すフローチャートである。ステップＳ１では、タッチパネル自動補正装置の保持治具４にタッチパネル付画像表示装置３（以下、図４の説明においては「被補正機器」とする）が、その表示面を加圧治具５と対向させるように水平に保持され、被補正機器と制御コンピュータ７を接続し、補正作業が開始される。ステップＳ２では、加圧治具５を画像表示面直上にセットする。図５は画像表示面上座標Ｑを取得するため、複数の加圧治具５を画像表示面直上にセットした一例を示す図である。
【００２７】
ステップＳ３では、画像表示面上座標Ｑで加圧位置を特定するための座標特定用パターン画像信号を制御コンピュータから出力し、この座標特定用パターン画像信号を被補正機器の表示面に表示させる。それと同時に、加圧治具５先端に取り付けたマイクロレンズ１５から画像表示面の光を受光し、受光素子１４からの光学的情報を制御コンピュータに蓄積する。
【００２８】
この画像表示面座標特定方法の一例を図６〜図９で説明する。図６は、画像表示面（座標系）３０のＸ軸座標特定用パターン画像信号による表示画像の時間推移を示した一例である。画像表示面３０の直上に加圧治具５ａを配置しており、時刻ｔ＝ｔ０において、画像表示面全体を黒にする信号を制御コンピュータより出力する。次にＹ軸方向は全面かつＸ軸方向に幅を持った白色のバーを、規定された速度で画面左端から右端又は、左端から右端へ、スイープするよう連続的に画像信号を出力していく。このスイープ開始に同期し、複数の加圧治具５ａの先端に備え付けられたマイクロレンズ１５、受光素子１４からの信号を取り込むことで、画像表示面の輝度レベル変化を蓄積する。
【００２９】
図７に加圧治具５ａ（５ａｘ）から出力された輝度レベルの時間変化と、各時刻における白色バーとマイクロレンズ部の交差範囲を示す。Ｙ軸方向についてもＸ軸方向と同様に画像表示面下端から上端、又は上端から下端へ処理を実行する。図８は画像表示面（座標系）３０のＹ軸座標特定用パターン画像信号による表示画像の時間推移を示した一例である。図９に前記図８における加圧治具５ａ（５ａｙ）から出力された輝度レベルの時間変化と、各時刻における白色バーとマイクロレンズ部の交差範囲を示す。
【００３０】
ステップ４では、前記ステップ３で得られた各ＸＹ軸方向のスイープにおける輝度レベルのピーク時刻と既知であるスイープ速度より、画像表示面座標系の座標Ｑ（Ｑｘ，Ｑｙ）を各々の加圧治具で算出し保持する。前記ステップ３，４では、例として加圧治具１本で説明したが、加圧治具５が複数となった場合においても、処理に変更無く画面全面をスイープさせることで、加圧位置の特定が可能である。
【００３１】
また、画像表示面座標系の座標を特定するために、次の方法とすることも有効である。ステップ１において、加圧治具設置板上の加圧治具５を配置した位置を補正装置側で読み込んでおく。そして、ステップ３では、ステップ１で読み込んだ加圧治具５の位置情報を元に、図１０（２つの加圧治具５ａ，５ｂを例としている）のように個々の加圧治具５ａ，５ｂ近傍でのみ前記Ｘ軸、Ｙ軸方向へスイープさせ、座標Ｑ（Ｑｘ，Ｑｙ）を算出取得する。このようにすることで、画像表示面３０全面でのスイープから、加圧治具５ａ，５ｂ近傍のスイープで済むことより、さらなる補正時間の短縮が可能となる。
【００３２】
ステップ５では、制御コンピュータ７は複数からなる加圧治具５を制御し、これら複数からなる加圧治具５により被補正機器のタッチパネル上から、前記ステップ４で取得した複数の画像表示面座標系の座標Ｑｎ(Ｑｎｘ，Ｑｎｙ)の加圧を開始する。加圧は複数の加圧治具５を所定の順番に従い、複数からなる加圧治具５を切替えて順次行う。ステップ６では、制御コンピュータ７は、座標信号処理部１１により、加圧されたタッチパネル座標系の座標Ｐｎ（Ｐｎｘ，Ｐｎｙ）を取得し保持する。
【００３３】
ステップ７では、制御コンピュータ７が全ての加圧が終了したかについて判定し、この補正が終了していない場合（ステップ７―ＮＯ）、ステップ５において、次（２番目以降）のポイントへの加圧へ移行する。以降、ステップ５、ステップ６を繰り返し、全てのポイントへの加圧が終了した場合（ステップ７−ＹＥＳ）、ステップ８へ進む。
【００３４】
ステップ８では、全ポイントの加圧に対して、タッチパネル座標系の座標Ｐｎ（Ｐｎｘ，Ｐｎｙ）と画像表示面座標系の座標Ｑｎ(Ｑｎｘ，Ｑｎｙ)とより、ｎ点補正演算を実施し、パネル全面に亘る多数点の画像表示面座標系の座標のデータＱｘ，Ｑｙを計算により変更補正し、タッチパネル搭載機器の画像表示面座標系の座標データベースに格納する。例として図１１の２点補正における、補正画像表示面座標系の座標のデータ算出のための計算式の一例を示す。なお、Ｐ１ｘ，Ｐ２ｘ、Ｑ１ｘ，Ｑ２ｘ、Ｐ１ｙ，Ｐ２ｙ、Ｑ１ｙ，Ｑ２ｙは図１１に対応している。タッチパネル全面に亘る座標Ｐｘ、Ｐｙを代入し、補正対象データである座標のデータＱｘ，Ｑｙを算出補正する。なお、本例では２点補正としたが、補正点数は何点になってもよい。
【００３５】
【数１】
0005430547.tif 000002
【符号の説明】
【００３６】
１  筐体                                ２  タッチパネル
３  タッチパネル付画像表示装置          ４  保持治具
５  加圧治具                            ６  加圧治具設置部
７  制御コンピュータ                    ８  演算部
９  光学信号処理部                      １０  加圧制御部
１１  座標信号処理部                    １２  駆動信号制御部
１３  マイクロソレノイド                １４  受光素子
１５  マイクロレンズ                    ２１ａ〜２１ｄ  電極
２２ａ，２２ｂ  抵抗膜                  ２３  電圧計
３０  画像表示面
【図１】
0005430547.tif 000003
【図２】
0005430547.tif 000004
【図３】
0005430547.tif 000005
【図４】
0005430547.tif 000006
【図５】
0005430547.tif 000007
【図７】
0005430547.tif 000008
【図９】
0005430547.tif 000009
【図６】
0005430547.tif 000010
【図８】
0005430547.tif 000011
【図１０】
0005430547.tif 000012
【図１１】
0005430547.tif 000013